(57)【特許請求の範囲】
【請求項１】
高分子材料よりなるシート内に、光反射性を有する薄層が設けられ、該薄層の少なくとも表裏いずれかの面に無機質微粉末よりなる層が形成されてなる耐候性防水シート。
【請求項２】
請求項１の耐候性防水シートにおいて、光反射性薄層の太陽光が遮断される裏面側に断熱性を有する層が一体に設けられてなる耐候性防水シート。
【請求項３】
請求項１又は２の耐候性防水シートを下地上に敷設し、経年変化により光反射性を有する薄層より表面側の層が劣化した場合、当該表面側の劣化した樹脂層のみを除去し、該除去した後に新規な表面層だけを敷設することを特徴とする耐候性防水シートの防水施工法。
【発明の詳細な説明】
【０００１】
【発明の属する技術分野】
この発明は耐候性防水シート及び防水施工法に関し、詳しくは特に耐紫外線効果に優れる耐候性防水シート及び防水施工法に関する。
【０００２】
【従来の技術】
従来、陸屋根などの屋根用防水シートとして、ブチルゴム、塩化ビニル樹脂、オレフィン樹脂などの高分子材料よりなる防水シートが非常に広く使用されている。
【０００３】
【発明が解決しようとする課題】
これら防水シートは、天日に直接曝されると、紫外線や太陽熱の影響を直接受けて、非常に劣化しやすい問題がある。
【０００４】
そこで、これら防水シートには、表層に紫外線反射塗料を塗布したり、あるいは紫外線に対する保護層を積層したりすることが行われている。
しかし、表層に紫外線反射塗料を塗布しても、その塗料自体が太陽光線の紫外線や太陽熱の影響を直接受けて劣化し、４〜５年も経てば塗膜としての機能も薄れてしまう問題があった。
【０００５】
また、金属箔などの太陽光線を全く透過しない保護層を設けた場合は、その上を歩行すると、保護層が損傷され、破口を生じればそこから紫外線により、劣化が始まる問題があった。
【０００６】
従って、これら従来の防水シートの耐用寿命は十分でない。
さらに、このように劣化した防水シートを交換する場合、下地上の劣化した防水シートをすべて撤去し、再度下地処理をした後に新たな防水シートを敷設する作業となるので、作業が大掛かりとなり経費も嵩むといった問題があった。
【０００７】
この発明は、上記問題を解消し、長期間太陽光に暴露されても、劣化しにくい防水シートを開発すると共に、劣化されても防水シートの更新作業を容易に実施出来るようにすることを課題としてなされたものである。
【０００８】
【課題を解決するための手段】
上記課題を解決するため、請求項１の発明は高分子材料よりなるシート内に、光反射性を有する薄層が設けられ、該薄層の少なくとも表裏いずれかの面に無機質微粉末よりなる層が形成されてなるものである。
【０００９】
この耐候性防水シートは、通常は紫外線により劣化されやすい高分子材料でシートが形成されていても、層内に形成された薄層によってそれより裏面側へは太陽光がさえぎられ、その薄層より裏面側の高分子材料よりなる層の劣化が防止される。
【００１０】
また、薄層は、シート内に埋め込まれた状態で設けられているのでその上を歩行しても、その薄層を覆う高分子材料層によって保護され、薄層が傷んだり破壊されることがない。
【００１１】
また、薄層より表面側の太陽光に暴露される側の層は、太陽光線により劣化するが、劣化した時点で、新規なシートまたはフィルムに張りかえることができ、長期間の耐用寿命を維持することができる。
【００１２】
無機質微粉末としては、岩石の粉砕粉、珪砂微粉末など、熱伝導性の低いものが使用され、この無機質微粉末層によって断熱効果が発揮され、金属箔部分の熱による膨張、収縮変形が抑制され、層間剥離などの不都合が解消される。
【００１３】
請求項２の耐候性防水シートは、請求項１の耐候性防水シートにおいて、光反射性薄層の太陽光が遮断される裏面側に断熱性を有する層が一体に設けられてなるものである。
【００１４】
断熱層を構成する層としては、ガラス繊維よりなる織布、不織布などが使用されるが、この断熱層によつてシート下面部の熱による劣化が防止される。
請求項３の発明は、上記請求項１又は２の耐候性防水シートを使用した防水施工法に関し、下地上に敷設し、経年変化により光反射性を有する薄層より表面側の層が劣化した場合、当該表面側の劣化した樹脂層のみを除去し、該除去した後に新規な表面層だけを敷設することを特徴とするものである。
【００１５】
防水シート１の下部は、光反射性を有する薄層３によって紫外線が遮蔽されているので劣化しないが、表面層側は直接太陽光に暴露されているのでこの層だけは劣化する。しかし、劣化しても、下層は劣化していないので、劣化した表面層のみを取りかえれば良く、更新作業が非常に容易となる。
【００１６】
【実施の形態】
次に、この発明の実施の形態である耐候性防水シートを説明する。
実施の形態１
図１は、この発明の実施の形態１である耐候性防水シートの要部拡大断面図である。
【００１７】
図１において、耐候性防水シート１は、主要部がブチルゴム、塩化ビニル、ポリオレフィン系樹脂などの高分子材料で形成されており、その防水シート１の肉厚内、望ましくは図示のように防水シート１の表面２に近い側にアルミ箔、金属蒸着、静電塗装層などからなる光反射性を有する薄層３が設けられ、この薄層３の少なくとも表裏何れかの面、図示例では表面側に無機質微粉末６の層が設けられている。
【００１８】
上記薄層３は、アルミ箔のようなフィルムを用いる場合は、主体層となる樹脂シート又はフィルム４と表面層となる樹脂シート又はフィルム５の二種の層の間にアルミ箔３及び無機質微粉末６の層を積層してロールによる接着手段で形成される。
【００１９】
金属蒸着や静電塗装の場合は、主体となる樹脂シート又はフィルム４の表面側や表面層となる樹脂シート又はフィルム５の裏面側に金属蒸着を施し、その後無機質微粉末６の層を積層して両者を積層一体化することが行われる。
【００２０】
なお、この耐候性防水シート１の総厚ｄは、２ｍｍ〜５ｍｍとされ、取り扱いの容易性などより３ｍｍ前後とされる。そして、主体となる樹脂シート又はフィルム４の厚さａ１と、表面層となる樹脂シート又はフィルム５の厚さａ２の比は
ａ１：ａ２＝２〜４：１
とされる。
【００２１】
光反射性を有する薄層３の厚さは、光反射性を発揮する限りできる限り薄い層とされる。上記耐候性防水シート１は、光反射性を有する薄層３によって、それより裏面側の樹脂層４は太陽光の直射から保護され、太陽光直射に起因する紫外線劣化が防止されるのである。
【００２２】
なお、太陽光を反射する薄層３は薄い脆弱な層であっても、表面側が樹脂層５で覆われているので、その上を人が歩いても傷付くことはない。
無機質微粉末６は、花崗岩や石灰岩など自然界に通常見られる岩石を微粉状に砕いた粉末あるいは微粉珪砂、粘土鉱物の微粉末などが使用され、エポキシ樹脂などをバインダとして混練された無機質微粉末６をスプレーなどで金属箔３に塗布することによって設けられる。
【００２３】
なお、この無機微粉末よりなる層６は図２に示すように光反射性を有する薄層３の裏面側に設けてもよく、図３に示すように表裏両面に設けても良い。
この実施の形態１の耐候性防水シートは、光反射性を有する薄層３の表裏両面または何れか片面に設けられた無機質微粉末により断熱効果が発揮され、光反射性を有する薄層３による紫外線防護の他、太陽熱による樹脂層と金属よりなる薄層３との熱による収縮膨張の差が軽減されこれらに起因する層間剥離などが防止される。
【００２４】
次に、上記耐候性防水シートを用いた防水施工方法を説明する。
図４に示すように、防水施工が必要な下地面１０、例えば屋根下地面に耐候性防水シート１を敷設し下地面１０の防水施工を終了する。
【００２５】
そして、図５に示すように経年変化を経ることにより、表面の樹脂層５の可塑剤などが揮散して組織が劣化し自壊状態となれば、表面の樹脂層５だけを清掃除去し、図６に示すように、この層５を新規な樹脂層５に張りかえるのである。なお、図１に示した構造の耐候性防水シートの場合で無機質微粉末６の層も劣化している場合は、その層もスプレーなどにより更新し、その上に新規な樹脂層５を貼りつけるのである。なお、図示したように金属よりなる薄層３の裏面側に無機質微粉末６の層を設けた場合は、紫外線劣化はないので表面側の樹脂層５だけを貼りかえれば良いことになる。
【００２６】
以上述べたように、紫外線によりシートが劣化されてもシート更新作業は表面側の積層体だけて良くなるので、更新作業が非常に容易となり、また必要なシートも薄い表面層５だけで良いので安価に更新することが可能となるのである。
【００２７】
実施の形態２
図７は、この発明の実施の形態２である耐候性防水シートの要部拡大断面図である。
【００２８】
図７において、耐候性防水シート１は、主要部がブチルゴム、塩化ビニル、オレフィンなどの高分子材料で形成されている点、その防水シート１の肉厚内、望ましくは図示のように防水シート１の表面２に近い側にアルミ箔、金属蒸着層などからなる光反射性を有する薄層３が設けられている点は実施の形態１と同じであり、また光反射性を有する薄層３の両面又は何れかに無機質微粉末よりなる断熱層６を設けた点は実施の形態２と同じである。
【００２９】
この実施の形態２では、薄層３によって光が遮断される裏面側に断熱層７が設けられている。
この断熱層７は、ガラス繊維よりなる織布又は不織布が好適に使用され、厚さは主体層となる樹脂シート又はフィルム４に断熱性が発揮できる厚さの内で最も薄い厚さとされる。
【００３０】
また、断熱層７をガラス繊維よりなる織布又は不織布とした場合は、主体となる樹脂シート又はフィルム４を構成する樹脂が繊維間に浸透された状態で積層一体化される。
【００３１】
この断熱層７によって、太陽光の紫外線から防護される層４が太陽熱からも防護されることとなり、熱による劣化も防止できるのである。
なお、断熱層７として、ガラス繊維の織布、不織布を用いた場合はシート自体も補強され、特に高分子材料よりなるシート特有の収縮変化が抑制されるので、経年劣化による金属箔との剥離なども有効に防止できる。
【００３２】
【発明の効果】
この発明は、以上説明したように、請求項１の耐候性防水シートは、光反射性薄層によって太陽光線の紫外線が反射され、それより裏面側の樹脂層が紫外線による劣化から保護される。
【００３３】
また、請求項２の耐候性防水シートは、断熱層によって金属などからなる光反射性薄膜が高温化するのが防止され、紫外線による劣化防止の他、熱による劣化も防止され、これらに起因する層間剥離が防止される。
【００３４】
請求項３の耐候性防水シートは、断熱層によって下層が確実に保護され、紫外線による劣化以外に、熱による熱による劣化も強力に防止される。また、断熱層として引張強度などに優れ、シートの強度も向上できるなどの効果を有する。
【００３５】
請求項４の防水施工法によれば、請求項１、２又は３に記載の耐候性防水シートは、経年変化で、表面側は劣化するが光反射性を有する薄層より下面は劣化しないので、表面の薄い層だけを張りかえれば良く保守管理も容易となり、また安価に実施できる効果がある。
【図面の簡単な説明】
【図１】この発明の実施の形態１の拡大断面図である。
【図２】この発明の実施の形態１の他の構成例の拡大断面図である。
【図３】この発明の実施の形態１のさらに他の構成例の拡大断面図である。
【図４】この発明の防水施工法の説明拡大断面図である。
【図５】この発明の防水施工法の説明拡大断面図である。
【図６】この発明の防水施工法の説明拡大断面図である。
【図７】この発明の実施の形態２の拡大断面図である。
【符号の説明】
１    耐候性防水シート
２    防水シートの表面
３    光反射性を有する薄層
４    主体層となる樹脂シート又はフィルム
５    表面層となる樹脂シート又はフィルム
６    無機質微粉末
７    断熱層
【図１】
0003616068.tif 000002
【図２】
0003616068.tif 000003
【図３】
0003616068.tif 000004
【図４】
0003616068.tif 000005
【図５】
0003616068.tif 000006
【図６】
0003616068.tif 000007
【図７】
0003616068.tif 000008